(57)【特許請求の範囲】
【請求項１】
浴槽の浴水を入水し、所定の浄化処理を施した後、再び該浴水を浴槽に出水する浴水浄化装置において、
浴水の循環を行わせる第１のポンプと、
該第１のポンプより容量が小さく、該第１のポンプに並列に接続された第２のポンプと、
前記第１のポンプの故障を検出する検出手段と、
該検出手段により第１のポンプの故障が検出された時、前記第２のポンプによる運転に切り替えるように制御する制御装置と、
を備えた浴水浄化装置。
【請求項２】
浴水浄化装置内部に浴水を循環させて内部洗浄する内部洗浄手段を更に備え、
該内部洗浄の際に前記第２のポンプにより浴水を循環させる、
請求項１に記載の浴水浄化装置。
【発明の詳細な説明】
【０００１】
【発明の属する技術分野】
この発明は、浴水浄化装置に関する。
【０００２】
【従来の技術】
浴槽の浴水を入水してろ過タンクによるろ過処理を加えた後に浴槽に出水し、この行程を繰り返すことにより浴水を循環浄化する浴水浄化装置が知られている。浴水の循環は内蔵するポンプにより行われるが、業務用等の大型の浴水浄化装置においては、それに見合った揚程の大きな大型のポンプが備えられている。
一方浴水浄化装置には、装置内部に閉ループを形成し、ここに浴水を循環させて内部洗浄を行わせる洗浄モードが備えられているものがある。
【０００３】
【発明が解決しようとする課題】
しかし、内部洗浄において大型のポンプにより閉ループに浴水を循環させると、流速が速くなり、ろ過タンクの濾材が暴れたり或いは内部に付着固定していた汚れが剥離し、洗浄後の通常使用時に汚れが浴槽内に流入する等の問題があった。
また、内部洗浄の際に浴水を高温に加熱して熱洗浄を行う場合には、装置内の圧力が高くなりすぎる等の問題があった。
更にポンプが故障した場合には、運転を停止せざるを得ず、特に業務用の浴水浄化装置においては営業上大きな損失になる等の問題があった。
本発明は上記従来技術の問題を解決することを目的とする。
【０００４】
【課題を解決するための手段】
上記目的を達成するために本発明は、浴槽の浴水を入水し、所定の浄化処理を施した後、再び該浴水を浴槽に出水する浴水浄化装置において、浴水の循環を行わせる第１のポンプと、該第１のポンプより容量が小さく、該第１のポンプに並列に接続された第２のポンプと、第１のポンプの故障を検出する検出手段と、該検出手段により第１のポンプの故障が検出された時、前記第２のポンプによる運転に切り替えるように制御する制御装置と、を備えたことを特徴とする。
この構成により、第１と第２のポンプの容量に応じてポンプの使い分けが可能になる。例えば、通常運転は第１のポンプで行い、パワーの小さい方が良い内部洗浄には第２のポンプを使用するなどの使い分けが可能になる。また、一方のポンプが故障をした場合にも他方のポンプによる運転が可能であり、運転を停止する必要がない。
更に第１のポンプに故障があった場合、自動的にポンプの切替が可能で、運転の停止を防止できる。
【０００５】
【発明の実施の形態】
以下本発明の実施の形態を図面に基づいて説明する。
図１は、通常浄化運転の状態を示すものである。
図１において、第１のポンプである通常浄化用ポンプ２０の稼働により浴槽Ｔの浴水は吸込口２４から配管４０を経由して浴水浄化装置内に入水し、ヘアキャッチャー２３を通り、通常浄化用ポンプ２０を経由して切替バルブ２６を通って、配管４１を経由してろ過タンク２１に入り、ここでろ過される。ろ過タンク２１にはＵＶランプが設けられており、ここで同時に殺菌処理がなされる。そして、ヒータ２２により所定温度まで加温され切替バルブ２７を通って配管４２を経由して吐出口２５から浴槽に出水され、この循環を繰り返して浄化されるように構成されている。
【０００６】
なお２８は湯温センサ、２９は水不足センサである。３は排水用切替バルブであり、系外に排水するためのものである。また５０は逆止弁である。
【０００７】
通常浄化用ポンプ２０と並列に更に第２のポンプである小型ポンプ１５が設けられている。この小型ポンプ１５は一方はヘアキャッチャー２３と接続し、他方は逆止弁５０を介して配管４１に接続している。
小型ポンプ１５は通常浄化用ポンプ２０よりも小型で容量と揚程が小さいものを用いている。
【０００８】
図２にこの実施形態の制御装置の構成を示す。制御装置３０はマイクロコンピュータを主体に構成されており、浴水浄化装置全体の制御を行っている。該制御装置３０には表示部３１と操作部３２が設けられており、操作部３２からユーザなどが種々の指令を入力する。表示部３１は様々な表示を行うものであって、種々の表示や告知などを表示部３１において行うようになっている。
【０００９】
制御装置３０は、通常浄化用ポンプ２０の運転制御、小型ポンプ１５の運転制御、切替バルブ２６と切替バルブ２７の開閉制御による通常運転モードと熱洗浄モードの切替、ヒータ２２の加温制御、排水用切替バルブ３の開閉制御等を行うようになっている。またこれらの制御の際に、湯温センサ２８及び水不足センサ２９から種々の情報を入力するようになっている。また種々の表示及び告知を表示部３１において行うように構成されている。
【００１０】
装置内部の内部洗浄の際には、制御装置３０は小型ポンプ１５による運転を行うようになっている。これを図３に示す。このモードで、制御装置３０は切替バルブ２６と切替バルブ２７を図示するように切り替え、且つ通常浄化用ポンプ２０を稼働せずに停止し、浴水が単に通過するだけにしておく。そして、小型ポンプ１５の稼働によって浴水を内部循環させるようになっている。なお、この例ではヒータ２２により浴水を高温に加熱して熱水を循環させる熱洗浄を行うようになっている。
【００１１】
即ち、浴水は浴槽Ｔから吸込口２４経て配管４０に入りヘアキャッチャー２３を経由して小型ポンプ１５、逆止弁５０、配管４１を通ってろ過タンク２１に入り、次いでヒータ２２に入って切替バルブ２７と逆止弁５１と切替バルブ２６とを通り、通常浄化用ポンプ２０を通過してヘアキャッチャー２３から再び小型ポンプ１５方向に流れ、この閉ループを循環して内部洗浄を行うようになっている。
この洗浄の際には、小型ポンプ１５により運転されるから、浴水の流速が過剰になることがなく、ろ過タンク２１の濾材が暴れたり、付着した汚れの剥離などが生じない。また、ヒータ２２により高温に加熱しても装置内の圧力が高くなりすぎることがない。
【００１２】
通常浄化用ポンプ２０に故障が生じると水不足センサ２９がこれを検知し、制御装置３０へと信号を送る。制御装置３０はその旨の告知を表示部３１に表示する。この表示によりユーザは通常浄化用ポンプ２０を停止し、小型ポンプ１５を稼働させることにより通常通りの運転を行える。
また制御装置３０が水不足センサ２９からの信号を検出したら、通常浄化用ポンプ２０を停止し、小型ポンプ１５を稼働させるように予めプログラムを作成しておき、制御装置３０に自動的に制御させても良い。
【００１３】
図４に通常浄化用ポンプ２０故障時の状態を示す。浴槽Ｔの浴水は吸込口２４から配管４０を経由してヘアキャッチャー２３から小型ポンプ１５を通って逆止弁５０、配管４１を経由し、ろ過タンク２１において殺菌、ろ過されて、ヒータ２２で所定温度まで加温され、配管４２を経由して吐出口２５から浴槽Ｔに戻り、この行程を繰り返して循環する。
以上のように、通常浄化用ポンプ２０に故障が生じても小型ポンプ１５を稼働することにより運転を停止する必要がない。
【００１４】
以上説明した実施形態においては、通常浄化用ポンプ２０と並列に設けた小型ポンプ１５により、通常浄化用ポンプ２０が故障しても小型ポンプ１５により運転を継続できる。また内部洗浄の際には、小型ポンプ１５により浴水を循環させることにより、汚れの剥離や内部が高圧になること等を防止できる等の効果がある。
【００１５】
【発明の効果】
以上説明したように本発明の浴水浄化装置によれば、ポンプの故障による運転の休止を抑制でき、また内部洗浄も適切に行える効果がある。
【図面の簡単な説明】
【図１】本発明の一実施形態を示す概略図。
【図２】本発明の一実施形態の制御装置を示すブロック図。
【図３】本発明の一実施形態の動作を示す概略図。
【図４】本発明の一実施形態の他の動作を示す概略図。
【符号の説明】
３：排水用切替バルブ、１５：小型ポンプ、２０：通常浄化用ポンプ、２１：ろ過タンク、２２：ヒータ、２３：ヘアキャッチャー、２４：吸込口、２５：吐出口、２６：切替バルブ、２７：切替バルブ、２８：湯温センサ、２９：水不足センサ、３０：制御装置、３１：表示部、３２：操作部、４０：配管、４１：配管、４２：配管、５０：逆止弁、５１：逆止弁。
【図１】
0004351336.tif 000002
【図２】
0004351336.tif 000003
【図３】
0004351336.tif 000004
【図４】
0004351336.tif 000005